(57)【要約】  【課題】  ソース信号から映像信号を生成する際に、ソース信号の特性に応じて異なる圧縮方式で圧縮処理することにより、ソース信号の特性に合致して安定した画質で表示することのできる映像信号処理方法及び映像信号処理装置を提供する。  【解決手段】  異なる視方向に異なる映像を同時に表示可能なマルチビュー表示装置２５に対して、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法であって、前記ソース信号の連続するフレーム間の画素データの変化量を対比して前記ソース信号の特性を判別し、その判別結果に基づいて前記圧縮処理の方式を異ならせる。  【選択図】  図７
2007013534.tif 000002
【特許請求の範囲】
【請求項１】
画面を構成する第一の画素群と第二の画素群が互いに異なる映像信号に基づいて各別に駆動されることにより、二方向に異なる映像が同時に表示可能なマルチビュー表示装置に対して、ソース信号を圧縮処理して映像画素データを生成する映像信号処理方法であって、
前記ソース信号の特性を判別し、その判別結果に基づいて前記圧縮処理の方式を異ならせる映像信号処理方法。
【請求項２】
前記ソース信号の連続するフレーム間の画素データの変化量を対比して前記ソース信号の特性を判別する請求項１記載の映像信号処理方法。
【請求項３】
前記ソース信号の出力機器からの出力モード情報に基づいて前記ソース信号の特性を判別する請求項１記載の映像信号処理方法。
【請求項４】
前記マルチビュー表示装置に対して予め設定された表示領域毎に前記圧縮処理の方式を異ならせる請求項１記載の映像信号処理方法。
【請求項５】
前記圧縮処理の方式が、前記所定方向に配列された元画素データから圧縮率に基づいた数の画素データを前記映像画素データとして抽出処理する第一の圧縮方式と、前記所定方向に配列された任意の元画素データをその隣接元画素データとの間で所定のフィルタ演算を施して平滑処理した画素データから圧縮率に基づいた数の画素データを前記映像画素データとして抽出処理する第二の圧縮方式を含む請求項１から４の何れかに記載の映像信号処理方法。
【請求項６】
前記第二の圧縮方式が採用されるとき、前記ソース信号の特性に基づいて前記フィルタ演算によるフィルタ係数が設定される請求項５記載の映像信号処理方法。
【請求項７】
前記第二の圧縮方式が採用されるとき、前記フィルタ演算によるフィルタ係数が手動設定される請求項５記載の映像信号処理方法。
【請求項８】
画面を構成する第一の画素群と第二の画素群が互いに異なる映像信号に基づいて各別に駆動されることにより、二方向に異なる映像が同時に表示可能なマルチビュー表示装置において、ソース信号を圧縮処理して映像画素データを生成する映像信号処理手段と、前記ソース信号の特性を判別する特性判別手段と、その判別結果に基づいて異なる方式で圧縮処理する圧縮処理手段を備えているマルチビュー表示装置。
【請求項９】
前記特性判別手段は、前記ソース信号の連続するフレーム間の画素データの変化量を対比して前記ソース信号の特性を判別する請求項８記載のマルチビュー表示装置。
【請求項１０】
前記圧縮処理手段は、前記所定方向に配列された元画素データから圧縮率に基づいた数の画素データを前記映像画素データとして抽出処理する第一の圧縮処理手段と、前記所定方向に配列された任意の元画素データをその隣接元画素データとの間で所定のフィルタ演算を施して平滑処理した画素データから圧縮率に基づいた数の画素データを前記映像画素データとして抽出処理する第二の圧縮処理手段を備えている請求項８または９記載のマルチビュー表示装置。
【発明の詳細な説明】
【技術分野】
【０００１】
本発明は、画面を構成する第一の画素群と第二の画素群が互いに異なる映像信号に基づいて各別に駆動されることにより、二方向に異なる映像が同時に表示可能なマルチビュー表示装置に対して、ソース信号を圧縮処理して映像画素データを生成する映像信号処理方法及び映像信号処理手段を備えたマルチビュー表示装置に関する。
【背景技術】
【０００２】
これまでの主なディスプレイの開発は、観察者がディスプレイをどの方向から観察しても同じ良好な画質で見ることができるように、或いは、複数の観察者が同時に同じ情報を得ることができるように最適化されてきた。しかし、個々の観察者が同じディスプレイからの異なる情報を見ることができることが望ましい用途が数多くある。例えば、自動車の中で、ドライバーは衛星ナビゲーションデータを見ることを望み、隣席の同乗者は映画を見ることを望むということがあり得る。この例において２つのディスプレイが用いられる場合には、余分な場所をとり、コストを増大させることになる。
【０００３】
そこで近年、ディスプレイ画面は一つであるにもかかわらず、異なる方向から観察することにより、二人以上の異なる観察者が、二つの異なる映像を同時に見ることが可能なマルチビュー表示装置が提案されている。
【０００４】
上述のマルチビュー表示装置の第一または第二の何れかの画素群を駆動するに際しては、当該画素群に対応させるべく、ソース信号を構成する１フレームの元画素データから所定方向に圧縮処理した映像画素データを生成し、生成された前記映像画素データで構成される映像信号に基づいて当該画素群を駆動する必要がある。例えば、車載用のＴＦＴ液晶表示装置では画素が８００×４８０ドットに構成されたものが主流であるが、このような表示装置の構成をベースとするマルチビュー表示装置では、少なくとも８００×４８０ドットに対応する元画素データから４００×４８０ドットに水平方向に圧縮処理して映像画素データを生成する必要がある。
【特許文献１】特開２００４−２０６０８９号公報
【発明の開示】
【発明が解決しようとする課題】
【０００５】
しかし、ソース信号を構成する元画素データを圧縮率に基づいて単に所定方向に間引き処理して映像画素データを生成するような圧縮処理方法では、間引き処理された元画像の情報が欠落する結果、画像情報の高域成分が欠落するのみならず画素データの連続性も失われるため、ソース信号の特性によってはそのような映像信号に基づいて表示された映像はかなり見辛いものになるという問題があった。一方、高域成分の欠落を防ぎ、画像データの連続性を確保すべくフィルタ処理を行なうと逆に鮮鋭度が低下する場合もあるという問題もあった。
【０００６】
本発明の目的は、上述の問題点に鑑み、ソース信号から映像信号を生成する際に、ソース信号の特性に応じて異なる圧縮方式で圧縮処理することにより、ソース信号の特性に合致して安定した画質で表示することのできる映像信号処理方法及び映像信号処理装置を提供する点にある。
【課題を解決するための手段】
【０００７】
上述の目的を達成するため、本発明による映像信号処理方法の第一の特徴構成は、画面を構成する第一の画素群と第二の画素群が互いに異なる映像信号に基づいて各別に駆動されることにより、二方向に異なる映像が同時に表示可能なマルチビュー表示装置に対して、ソース信号を圧縮処理して映像画素データを生成する映像信号処理方法であって、前記ソース信号の特性を判別し、その判別結果に基づいて前記圧縮処理の方式を異ならせる点にあり、例えば、より具体的な例では、ソース信号を構成する１フレームの元画素データを所定方向に圧縮処理して映像画素データを生成し、生成された前記映像画素データで構成される映像信号に基づいて前記マルチビュー表示装置の第一または第二の何れかの画素群を駆動する映像信号処理方法で、前記ソース信号の特性を判別し、その判別結果に基づいて前記圧縮処理の方式を異ならせるものであり、これによりソース信号の特性に合致した適切な圧縮処理を行なうことが可能となり、マルチビュー表示装置に表示された映像の品位を安定させることができるようになる。
【０００８】
同第二の特徴構成は、上述の第一特徴構成に加えて、前記ソース信号の連続するフレーム間の画素データの変化量を対比して前記ソース信号の特性を判別する点にあり、隣接するフレームの間の画素データを対比することにより、ソース信号が静止画像であるのか動画像であるのか、それとも他の特性の画像、例えばデジタルビデオディスク（ＤＶＤ）装置から出力された早送り画像であるのかといったソース信号の種々の特性が判別できるようになる。その結果、夫々に対して好適な圧縮処理を施すことができるようになるのである。
【０００９】
同第三の特徴構成は、上述の第一特徴構成に加えて、前記ソース信号の出力機器からの出力モード情報に基づいて前記ソース信号の特性を判別する点にあり、ソース信号が出力機器からどのようなモードで出力されているのかを示す出力モード情報に基づいて画像特性が判別できるようになる。例えば、ナビゲーション装置からのスクロール映像が出力されているのか、デジタルビデオディスク（ＤＶＤ）装置からコマ送り映像が出力されているのか、早送り映像が出力されているのか、通常の再生映像が出力されているのか等を示す出力モード情報に基づいて好適な圧縮処理を施すことができるようになるのである。
【００１０】
同第四の特徴構成は、上述の第一特徴構成に加えて、前記マルチビュー表示装置に対して予め設定された表示領域毎に前記圧縮処理の方式を異ならせる点にあり、例えば、ソース信号からの映像を表示する領域、当該マルチビュー表示装置または接続されている映像出力機器に対する操作スイッチを表示する領域等に応じて好適な圧縮処理を施すことができるようになるのである。
【００１１】
同第五の特徴構成は、上述の第一から第四の何れかの特徴構成に加えて、前記圧縮処理の方式が、前記所定方向に配列された元画素データから圧縮率に基づいた数の画素データを前記映像画素データとして抽出処理する第一の圧縮方式と、前記所定方向に配列された任意の元画素データをその隣接元画素データとの間で所定のフィルタ演算を施して平滑処理した画素データから圧縮率に基づいた数の画素データを前記映像画素データとして抽出処理する第二の圧縮方式を含む点にある。
【００１２】
第一の圧縮処理によれば圧縮率に基づいて所定数の画素データを抽出して映像画素データとするものであるので、画像情報の高域成分が欠落して画素データの連続性が失われるが、ソース信号と同等の鮮鋭性は確保されるので、静止画像、フレーム間に相関性の低い早送り画像等に対する圧縮処理に好適であり、第二の圧縮処理によればフィルタ演算を施して平滑処理した画素データから圧縮率に基づいて所定数の画素データを抽出して映像画素データとするものであるので、鮮鋭性は低下するものの、画像情報の高域成分が取り込まれるとともに画像データの連続性が確保されるので、動画像に対する圧縮処理に好適である。
【００１３】
同第六の特徴構成は、上述の第五特徴構成に加えて、前記第二の圧縮方式が採用されるとき、前記ソース信号の特性に基づいて前記フィルタ演算によるフィルタ係数が設定される点にあり、鮮鋭性を確保するのか連続性を確保するのか何れが優先されるべきかをソース信号の特性に基づいて決定することで、自動的に映像の品位を安定させることができるようになる。
【００１４】
同第七の特徴構成は、上述の第五特徴構成に加えて、前記第二の圧縮方式が採用されるとき、前記フィルタ演算によるフィルタ係数が手動設定される点にあり、視聴者の好みに映像品位を調整することができるようになる。
【００１５】
本発明によるマルチビュー表示装置の第一の特徴構成は、画面を構成する第一の画素群と第二の画素群が互いに異なる映像信号に基づいて各別に駆動されることにより、二方向に異なる映像が同時に表示可能なマルチビュー表示装置において、ソース信号を圧縮処理して映像画素データを生成する映像信号処理手段と、前記ソース信号の特性を判別する特性判別手段と、その判別結果に基づいて異なる方式で圧縮処理する圧縮処理手段を備えている点にある。
【００１６】
同第二の特徴構成は、上述の第一特徴構成に加えて、前記特性判別手段は、前記ソース信号の連続するフレーム間の画素データの変化量を対比して前記ソース信号の特性を判別する点にある。
【００１７】
同第三の特徴構成は、上述した第一または第二特徴構成に加えて、前記圧縮処理手段は、前記所定方向に配列された元画素データから圧縮率に基づいた数の画素データを前記映像画素データとして抽出処理する第一の圧縮処理手段と、前記所定方向に配列された任意の元画素データをその隣接元画素データとの間で所定のフィルタ演算を施して平滑処理した画素データから圧縮率に基づいた数の画素データを前記映像画素データとして抽出処理する第二の圧縮処理手段を備えている点にある。
【発明の効果】
【００１８】
以上説明した通り、本発明によれば、ソース信号から映像信号を生成する際に、ソース信号の特性に応じて異なる圧縮方式で圧縮処理することにより、ソース信号の特性に合致して安定した画質で表示することのできる映像信号処理方法及び映像信号処理装置を提供することができるようになった。
【発明を実施するための最良の形態】
【００１９】
以下に本発明による映像信号処理方法及び映像信号処理装置を説明する。図１に示すように、車両を目的地に誘導するナビゲーション装置Ｎと、地上波デジタル放送を受信する電波受信装置２と、ＤＶＤプレーヤ３０と、前記ナビゲーション装置Ｎ、前記電波受信装置２、または前記ＤＶＤプレーヤ３０等の中から何れか二系統の映像ソース信号による表示画像を同時に表示可能なマルチビュー表示装置２５と、前記マルチビュー表示装置２５を表示制御する映像信号処理装置４０等が車両に搭載されている。
【００２０】
前記ナビゲーション装置Ｎは、道路地図データを記憶した地図データ記憶手段５と、自車の位置情報を認識するＧＰＳ受信手段６と、ＧＰＳアンテナ６ａと、自車の走行状態を管理する自律航法手段７と、地図データに基づいて指定された目的地までの経路を探索する経路探索手段８と、地図上に自車の走行位置を表示する走行状態表示処理手段９と、各種の動作モードや動作条件を設定する操作部２６等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。
【００２１】
前記電波受信装置２は、受信アンテナ２０と、前記受信アンテナ２０を介して受信された伝送チャンネル（周波数帯域）を選局するチューナ２１と、選局された受信信号からデジタル信号を取り出して誤り訂正処理を行ないＴＳ（トランスポートストリーム）パケットを出力するＯＦＤＭ復調部２２と、ＴＳパケットのうち映像・音声パケットから音声信号を復号してスピーカ２４に出力するとともに、映像信号を復号してマルチビュー表示装置２５に出力するデコーダ２３を備えたデジタルテレビ受信機で構成されている。
【００２２】
前記マルチビュー表示装置２５は、画面を構成する画素群が第一の画素群と第二の画素群に分散配置され、それらが互いに異なる映像信号に基づいて各別に駆動されることにより、二方向に異なる映像が同時に表示可能に構成され、図２に示すように、ＴＦＴアレイ９１６を形成したＴＦＴ基板９１２とそれに対向して配置される対向基板９１４の間に液晶層９１３を挟持した一対の基板を２枚の偏光板９１１の間に配置した液晶パネルと、マイクロレンズと遮光スリットを形成した視差バリア層９１５を形成した視差バリア基板９１７とを一体形成して構成されている。
【００２３】
前記ＴＦＴアレイ９１６は、図３に示すように、データ線９２５と走査線９２４によって囲まれた領域を一単位とする複数の画素が形成され、各画素には液晶層９１３に電圧を印加する画素電極９２３と、それをスイッチング制御するＴＦＴ素子９２２が形成されている。走査線駆動回路９２１はＴＦＴ素子９２２の選択走査を行い、またデータ線駆動回路９２０は、画素電極９２３への印加電圧を制御する。制御回路９２６は走査線駆動回路９２１及びデータ線駆動回路９２０の駆動タイミングを制御する。
【００２４】
前記画素は全体として８００×４８０ドット設けられ、一列置き（一データ線置き）に配列（奇数列と偶数列に分類）された第一の画素群（４００×４８０ドット）と第二の画素群の二つの画素群（４００×４８０ドット）で構成され、それぞれはソースの異なる映像信号に基づいて各別に駆動される。前記二つの画素群を通過した光は、それぞれ視差バリア層９１５によって異なる方向へ導かれ、或いは、特定方向の光は遮光されるため、空間上の表示面９１８近傍に限って、異なる方向へ異なる映像を表示することが可能となっている。尚、二つの画素群は一列置きに配列するものに限られるのではなく、画面内において分散配置されていればよい。
【００２５】
前記マルチビュー表示装置２５は、運転席と助手席の中央部のフロントパネルに設置され、運転席側から観察される映像と助手席側から観察される映像が異なるように表示することが可能な構成となっている。例えば、助手席側では前記電波受信装置２からの映像情報が観察される一方で、運転者席側では前記ナビゲーション装置Ｎのディスプレイとして使用が可能である。
【００２６】
前記映像信号処理装置４０は、マイクロコンピュータ及び前記マイクロコンピュータで実行される制御プログラムが記憶されたＲＯＭやワーキングエリアとして使用されるＲＡＭ等を備えて構成され、入力される二系統のソース信号の夫々に対して１フレーム（８００×４８０ドット）の元画素データを水平方向に圧縮処理して４００×４８０ドットの映像画素データを生成し、夫々の映像画素データを水平方向に交互に配列して８００×４８０ドットの映像信号とし、前記マルチビュー表示装置の第一または第二の何れかの画素群をソース信号の系統別に駆動する装置で、図１に示すように、前記マルチビュー表示装置２５の表示モードや前記ソース信号の選択等の操作を行なう操作手段４１と、複数系統のソース信号から各画素群へ供給するソース信号を選択するソース信号選択出力手段４２と、選択された二系統のソース信号の夫々を構成する１フレームの元画素データを各画素群の画素数に対応付けるべく水平方向に５０％の圧縮率で圧縮処理する第一圧縮処理手段４７と、選択された二系統のソース信号の夫々を構成する１フレームの元画素データをその隣接元画素データとの間で所定のフィルタ演算を施して平滑処理する平滑化処理手段４４と平滑化された画素データを各画素群の画素数に対応付けるべく水平方向に５０％の圧縮率で圧縮処理する第二圧縮処理手段４５とからなる抽出処理手段４６と、前記第一または第二圧縮処理手段４７、４５により圧縮処理された４００×４８０ドットの映像画素データから前記映像信号を生成する映像信号生成手段４８を備えて構成されている。
【００２７】
さらに、グラフィカル・ユーザ・インタフェース部（以下、「ＧＵＩ部」と記す。）４９を備え、前記マルチビュー表示装置２５の表示画面に操作スイッチを表示するとともに、前記表示画面に設けられた透明電極シートでなるタッチパネルからの入力に基づいて前記ソース信号に選択等の各種の設定入力が可能となるように構成されている。つまり、前記操作手段４１からの要求により各種の操作スイッチが表示される操作画面を生成して表示させるとともに、前記タッチパネルの操作位置を検出して操作されたスイッチを前記操作手段４１に通知するように構成されている。前記操作手段４１は通知された操作内容に対応して前記ソース信号選択手段４２、前記第一または第二の圧縮処理手段４７、４６、前記映像信号生成手段４８に必要な処理命令を出力する。
【００２８】
さらにまた、前記ソース信号選択出力手段４２から選択出力されたソース信号に対して、その特性を判別する特性判別手段４３を備えてあり、その判別結果に基づいて前記第一または第二圧縮処理手段４７、４５の何れで圧縮処理するかを決定するように構成されている。前記特性判別手段４３は、各ソース信号に対して少なくとも２フレームの元画素データを格納可能なメモリを備えており、１フレーム前の元画素データと次フレームの元画素データとを比較することにより隣接フレーム間の相関関係を調べ、静止画像であるか動画像であるか、さらには、早送り画像等の相関の低い画像であるかを判断する。
【００２９】
具体的には、隣接フレーム間で対応する画素間の差分を演算し、各差分の二乗和の平均を相関値として演算導出して、その値を予め設定された相関閾値と比較する。演算導出された値が静止画を示す静止画相関閾値よりも小さいときには静止画像と判断し、動画を示す動画相関閾値よりも大きいときに早送り画像等の相関の低い画像であると判断し、静止画相関閾値より大で動画相関閾値より小であるときに動画像と判断するように構成されている。
【００３０】
前記特性判別手段４３により静止画像、または相関の低い画像と判断されたときには前記第一圧縮処理手段４７で圧縮処理するように元画素データが転送され、動画像と判断されたときには前記第二圧縮処理手段４５で圧縮処理するように元画素データが転送される。
【００３１】
前記平滑化処理手段４４は、図４（ａ），（ｂ）に示すように、ソース信号の１フレームを構成する元画素データのうち、水平方向に配列された任意の元画素とそれに隣接する隣接元画素の３画素単位で、１：２：１のフィルタ係数を掛けて加算した値を係数和４で除すことにより新たな画素を生成するローパスフィルタ処理を行なうように構成されている。即ち、中心画素を重視しながら左右の隣接画素の影響を加味した新たな画素データが生成されるのである。ここに、第一番目の画素は元画素データがそのまま採用される。尚、図４（ｂ）の元画素とは左或いは右側の何れか一方で本来表示すべき画素を指すものである。そして、フィルタ処理により映像画素として生成される。実際に表示されるのは、元画素数の半分であるから、本来の場合、奇数画素或いは偶数画素が採用されることになる。従って、本例では従来採用されなかった画素の値を反映させた画素が採用される。
【００３２】
前記第二圧縮処理手段４５は、新たに生成された画素のうち、偶数配列の画素または奇数配列の画素の何れかの画素群を１フレームに亘って抽出することにより前記映像画素データを生成するように構成されている。このようにして生成された映像画素データは、単に元画素を偶数配列の画素または奇数配列の画素の何れかの画素群を１フレームに亘って抽出する図５（ａ）に示すようなものに比べて、同図（ｂ）に示すように、画素間の変化が高い（大きい）ことを示す高域成分が残されるので大きく画質が劣化するようなことが無く、或る程度の良好な視認性を確保することができるのである。ここに、画素データの演算はＲＧＢの色成分データ、またはＹＵＶの輝度、色差データに基づいて行なうことができ、その何れであってもよい。尚、図５は実際に観察者が見たときの状況を示すものであり、図５（ａ）では、一方の視方向に対応する画素列が間引かれるため、他方の視方向からは欠けた状態として見えるが、図５（ｂ）では、一方の視方向に対応する画素列の情報が隣接画素に加味されるので、他方の視方向からみた画像はその周囲の画素を利用して補完的に表示されることになり、図５（ｂ）のように認識されるようになる。
【００３３】
ここで、前記平滑化処理手段４４により採用されるフィルタ係数は固定されるものに限らず、前記ソース信号の特性に基づいて、或いは観察者による手動設定に基づいて切り替えるように構成してもよい。例えば、図６（ａ）、（ｂ）に示すように、前記特性判別手段４３によって演算導出された相関値に基づいて動画像と判断されたときに、その相関値に基づいて複数のフィルタ係数から最適なフィルタ係数が選択される係数テーブルを設けて構成することも可能である。尚、同図に示す係数テーブルは一例であり、これらに限定されるものではなく、隣接画素の寄与度をどの程度に設定するかにより、画像の連続性よりも鮮鋭性を重視するのか、或いは、平滑化（ぼかし）することにより画像の連続性を重視するかを切り替えることができればよい。手動設定する場合には、前記操作手段４１により鮮鋭化するのか平滑化するのかその程度を設定する操作スイッチが前記マルチビュー表示装置２５に表示され、前記ＧＵＩ部４９を介して得られる操作設定値を前記平滑化処理手段４２に入力指示することにより何れかのフィルタ係数が選択されるように構成されている。
【００３４】
以下に、異なる二系統のソース信号から映像信号が生成される制御手順を図７に示すフローチャートに基づいて説明する。先ず、前記ソース信号選択手段４２によって選択された夫々のソース信号が入力されると、前記特性判別手段４３は、夫々のソース信号を構成するフレームデータをフレームメモリに格納する（Ｓ１）。次のフレームが入力されると、隣接フレーム間で対応する画素間の差分を演算し、各差分の二乗和の平均を相関値として演算導出する（Ｓ２）。
【００３５】
演算された相関値がゼロに近ければ連続するフレーム間の対応画素データに差異が無く、従って静止画像であると判断でき、相関値が極めて大である場合には連続するフレーム間の対応画素データが大きく異なることから相関が無い全く異なるシーンの画像であると判断でき、相関値が静止画に対する値よりも大であり、異なるシーンの画像に対する値よりも小であるときには動画像であると判断できる。そこで、予め複数種類の映像を評価して静止画、動画、異なるシーンの画像夫々に対する相関閾値を求めておくことにより、実際のソース信号に対する相関値が何れの範囲に属するのかに基づいてソース信号の特性が判断できる。
【００３６】
そこで、ステップＳ２で演算導出された相関値と予め設定されている相関閾値とを比較して、相関値が静止画を示す静止画相関閾値よりも小さいときには静止画像と判断し、動画を示す動画相関閾値よりも大きいときに早送り画像等の相関の低い画像であると判断し、静止画相関閾値より大で動画相関閾値より小であるときに動画像と判断し（Ｓ３）、静止画または相関の低い画像である場合には、前記第一の圧縮手段４７にフレームデータを転送して圧縮処理し（Ｓ５）、動画である場合には、前記抽出手段４６にフレームデータを転送して、相関値に基づきフィルタ係数を選択し（Ｓ４）、当該フィルタ係数により平滑化処理し（Ｓ６）、平滑化処理後に間引きによる圧縮処理を行なう（Ｓ７）。
【００３７】
二系統の画像夫々に対して上述の処理が行なわれ、その結果、双方の圧縮画像が合成処理されて映像信号として生成されるのである（Ｓ８）。
【００３８】
以下に別実施形態を説明する。前記特性判別手段４３は、前記ソース信号の出力機器からの出力モード情報に基づいて前記ソース信号の特性を判別するように構成するものであってもよい。例えば、ソース信号が前記ＤＶＤ装置３０から出力される出力モード情報に基づいて画像特性が判別できるようになり、コマ送り映像が出力されているのか、早送り映像が出力されているのか、通常の再生映像が出力されているのか等を判別して、コマ送り映像や早送り映像のときには前記第一圧縮処理手段４７で圧縮処理し、通常の再生画像のときには前記第二圧縮処理手段４５で圧縮処理するように構成でき、例えば、ナビゲーション装置からの出力モード情報に基づいて、自車を指定地点に誘導すべく自車の走行に合わせて地図をスクロール表示させるスクロール映像が出力されているときには前記第一の圧縮処理手段４７で圧縮処理するように構成できる。ここに、出力モード情報は、夫々の機器からソース信号とともに出力されるソース信号の属性を示す情報である。
【００３９】
また、前記特性判別手段４３は、前記マルチビュー表示装置２５に対してソース信号の表示される領域を判別して、表示領域毎に前記圧縮処理の方式を異ならせるように構成するものであってもよい。
【００４０】
上述した実施形態では、隣接フレーム間で対応する画素間の差分を演算し、各差分の二乗和の平均を相関値として演算導出するものを説明したが、ソース信号の連続するフレーム間の画素データの変化量を対比して前記ソース信号の特性を判別するものであれば、他の演算方法により相関値を導出するものであってもよい。
【００４１】
例えば、前記ＧＵＩ部４９から各種の選択スイッチを表示させるソース信号が入力されるときには、予め表示領域が画面の下段や周囲等に限られるもので、そのようなソース信号からその表示領域に対応する画素群を前記第一圧縮処理手段４７で圧縮処理し、他の表示領域に対応する画素群を前記第二圧縮処理手段４５で圧縮処理するように構成してもよい。ここでは、前記ＧＵＩ部４９からのソース信号は他のソース信号と合成されて重ね合わせ表示されるように処理されるもので、他のソース信号も対応する領域については同様の処理が可能である。
【００４２】
上述の実施形態では、何れも圧縮方向が水平方向のものを説明したが、これに限定されるものではなく、縦方向に圧縮されるものであっても同様の処理が可能である。また上述の実施形態では、圧縮率が５０％に設定されたものを説明したが、圧縮率も同様にこの値に限定されるものではなく、ソース信号の構成画素数と表示装置の構成画素数に基づいて適宜設定された圧縮率に対して適用できるものである。
【００４３】
上述の実施形態で示した各部の構成は具体的に限定されるものではなく、本発明による作用効果が奏される範囲において適宜構成されるものである。
【００４４】
上述した実施形態では、マルチビュー表示装置として、特開２００４−２０６０８９号公報に記載されたような液晶パネルを用いた場合について説明したが、これに限定されるものではなく、特開２００３−１５５３５号公報に記載されたような構成を採用するもの等の他、有機ＥＬやプラズマディスプレイ、ＣＲＴ、ＳＥＤ等を用いて構成されたマルチビュー表示装置一般に対しても同様に適用することができる。
【００４５】
尚、本例では運転席と助手席の二方向を異なる視方向とするマルチビュー表示装置２５に適用されるものを説明したが、その他、三方向や四方向等複数の視方向に異なる映像を表示可能なマルチビュー表示装置に適用することも可能である。その場合、画素群としてはその方向の数だけ分散配置されることになる。
【図面の簡単な説明】
【００４６】
【図１】本発明による映像信号処理装置のブロック構成図
【図２】マルチビュー表示装置の説明図
【図３】液晶パネルの説明図
【図４】本発明による映像信号処理方法の説明図
【図５】本発明による映像信号処理方法で処理された映像の説明図
【図６】本発明による映像信号処理方法の説明図
【図７】本発明による映像信号生成手順を示すフローチャート
【符号の説明】
【００４７】
２５：マルチビュー表示装置
４０：映像信号処理装置
４１：操作手段
４２：ソース信号選択出力手段
４３：特性判別手段
４４：平滑化処理手段（抽出処理手段）
４５：第二圧縮処理手段（抽出処理手段）
４６：抽出処理手段
４７：第一圧縮処理手段
【図１】
2007013534.tif 000003
【図３】
2007013534.tif 000004
【図６】
2007013534.tif 000005
【図７】
2007013534.tif 000006
【図２】
2007013534.tif 000007
【図４】
2007013534.tif 000008
【図５】
2007013534.tif 000009